(57)【特許請求の範囲】
【請求項１】
カードが通過するカード通過路と、前記カードに記録された磁気データの読取および前記カードへの磁気データの記録の少なくともいずれか一方を行う磁気ヘッドと、前記カード通過路を通過する前記カードを前記磁気ヘッドとの間に挟むように前記磁気ヘッドに対向配置される対向ローラとを備え、
前記カードには、複数のトラックの磁気データが記録可能となっており、
前記磁気ヘッドは、複数の前記トラックの磁気データのそれぞれの読取および／または記録を行う複数のチャンネルを備え、
複数の前記チャンネルは、前記カード通過路を通過する前記カードの通過方向と前記カードの厚さ方向とに直交する前記カードの幅方向で並ぶように配置され、
前記磁気ヘッドは、前記対向ローラに向かって付勢されるとともに、前記カードの通過方向を揺動の軸方向として揺動可能となっており、
前記対向ローラは、前記カードの幅方向における前記対向ローラの一端から前記カードの幅方向における前記対向ローラの他端に向かうにしたがって外径が次第に小さくなるテーパローラであり、
前記カードの通過方向から見たときに、前記カードの幅方向において、前記カードの幅方向における前記対向ローラの一端と前記磁気ヘッドの揺動中心とがずれていることを特徴とするカードリーダ。
【請求項２】
前記カードの幅方向における前記対向ローラの幅は、前記カードの幅方向における前記磁気ヘッドの幅よりも狭くなっていることを特徴とする請求項１記載のカードリーダ。
【請求項３】
前記カードの幅方向の一方を第１方向とし、前記カードの幅方向の他方を第２方向とすると、
前記カードの幅方向における前記対向ローラの一端は、前記カードの幅方向において、最も前記第１方向側に配置される前記チャンネルよりも前記第１方向側に配置されていること、または、最も前記第２方向側に配置される前記チャンネルよりも前記第２方向側に配置されていることを特徴とする請求項１または２記載のカードリーダ。
【請求項４】
前記磁気ヘッドは、前記チャンネルとして、第１チャンネルと、第２チャンネルと、第３チャンネルとを備え、
前記第１チャンネル、前記第２チャンネルおよび前記第３チャンネルは、前記第１方向側から前記第２方向側に向かってこの順番に配置され、
前記カードの通過方向から見たときに、前記磁気ヘッドの揺動中心は、左右方向において、前記第２チャンネルと略同じ位置に配置され、
前記カードの幅方向における前記対向ローラの一端は、前記カードの幅方向において、前記第１チャンネルよりも前記第１方向側に配置されていることを特徴とする請求項３記載のカードリーダ。
【請求項５】
前記カード通過路で前記カードを搬送する搬送ローラと、前記カード通過路を通過する前記カードを前記搬送ローラとの間に挟むように前記搬送ローラに対向配置されるパッドローラとを備え、
前記カードの幅方向の一方を第１方向とし、前記カードの幅方向の他方を第２方向とすると、
前記磁気ヘッドおよび前記対向ローラは、前記カードの幅方向において、前記搬送ローラおよび前記パッドローラよりも前記第１方向側に配置され、
前記カードの通過方向から見たときに、前記カードの幅方向における前記対向ローラの一端は、前記カードの幅方向において前記磁気ヘッドの揺動中心よりも前記第１方向側に配置されていることを特徴とする請求項１から４のいずれかに記載のカードリーダ。
【発明の詳細な説明】
【技術分野】
【０００１】
本発明は、カードに記録された磁気データの読取やカードへの磁気データの記録を行うカードリーダに関する。
【背景技術】
【０００２】
従来、プリペイドカードに記録された磁気バーコード等の読取やプリペイドカードへの磁気バーコード等の記録を行う磁気記録再生装置が知られている（たとえば、特許文献１参照）。特許文献１に記載の磁気記録再生装置は、プリペイドカードの磁気バーコードおよびシリアル磁気コードの読取や記録を行うための磁気バーコードヘッドを備えている。この磁気バーコードヘッドは、磁気バーコードの読取や記録を行うための第１のチャンネル（第１のコア部）と、シリアル磁気コードの読取や記録を行うための第２のチャンネル（第２のコア部）との２つのチャンネルを備えている。
【０００３】
特許文献１に記載の磁気記録再生装置では、磁気バーコードヘッドの第１のチャンネルに対向するように第１の対向ローラ（第１の別体ローラ）が配置されるとともに、磁気バーコードヘッドの第２のチャンネルに対向するように第２の対向ローラ（第２の別体ローラ）が配置されている。そのため、この磁気記録再生装置では、プリペイドカードの磁気バーコードと磁気バーコードヘッドの第１のチャンネルとの密着性、および、プリペイドカードのシリアル磁気コードと磁気バーコードヘッドの第２のチャンネルとの密着性を確保することが可能になる。したがって、この磁気記録再生装置では、磁気バーコードおよびシリアル磁気コードの適切な読取や記録が可能になる。
【先行技術文献】
【特許文献】
【０００４】
【特許文献１】特開２００６−１２７６３８号公報
【発明の概要】
【発明が解決しようとする課題】
【０００５】
特許文献１に記載の磁気記録再生装置のように、磁気ヘッドが複数のチャンネルを有する場合に、複数のチャンネルのそれぞれに対向配置される対向ローラが設けられていれば、全てのチャンネルとカードとを接触させることが可能になり、その結果、全てのチャンネルにおいて適切な磁気データの読取や記録が可能になる。しかしながら、たとえば、複数のチャンネルを有する磁気ヘッドが搭載される装置を小型化しようとしたときに、複数のチャンネルの全てに対向する対向ローラを配置するスペースを確保できない場合も生じる。この場合には、対向ローラが対向配置されていないチャンネルとカードとの間に隙間が生じて、このチャンネルにおいて磁気データを適切に読み取ったり、記録したりすることができなくなるおそれがある。
【０００６】
そこで、本発明の課題は、複数のチャンネルを有する磁気ヘッドが搭載されるカードリーダにおいて、複数のチャンネルの全てに対向する対向ローラを配置することができなくても、全てのチャンネルにおいて適切な磁気データの読取や記録を行うことが可能なカードリーダを提供することにある。
【課題を解決するための手段】
【０００７】
上記の課題を解決するため、本発明のカードリーダは、カードが通過するカード通過路と、カードに記録された磁気データの読取およびカードへの磁気データの記録の少なくともいずれか一方を行う磁気ヘッドと、カード通過路を通過するカードを磁気ヘッドとの間に挟むように磁気ヘッドに対向配置される対向ローラとを備え、カードには、複数のトラックの磁気データが記録可能となっており、磁気ヘッドは、複数のトラックの磁気データのそれぞれの読取および／または記録を行う複数のチャンネルを備え、複数のチャンネルは、カード通過路を通過するカードの通過方向とカードの厚さ方向とに直交するカードの幅方向で並ぶように配置され、磁気ヘッドは、対向ローラに向かって付勢されるとともに、カードの通過方向を揺動の軸方向として揺動可能となっており、対向ローラは、カードの幅方向における対向ローラの一端からカードの幅方向における対向ローラの他端に向かうにしたがって外径が次第に小さくなるテーパローラであり、カードの通過方向から見たときに、カードの幅方向において、カードの幅方向における対向ローラの一端と磁気ヘッドの揺動中心とがずれていることを特徴とする。
【０００８】
本発明において、カードの幅方向における対向ローラの幅は、たとえば、カードの幅方向における磁気ヘッドの幅よりも狭くなっている。
【０００９】
本発明のカードリーダでは、磁気ヘッドに対向配置される対向ローラは、カードの幅方向における対向ローラの一端からカードの幅方向における対向ローラの他端に向かうにしたがって外径が次第に小さくなるテーパローラとなっており、カードの通過方向から見たときに、カードの幅方向において、カードの幅方向における対向ローラの一端と磁気ヘッドの揺動中心とがずれている。そのため、本発明では、磁気ヘッドと対向ローラとの間をカードが通過するときに、カードには、カードの幅方向における対向ローラの一端によってカードが磁気ヘッドに向かって押される力が作用し、磁気ヘッドには、カードに作用する力によって磁気ヘッドの揺動中心を中心にして、磁気ヘッドの全てのチャンネルとカードとが接触する方向へ傾く力が作用する。したがって、本発明では、複数のチャンネルの全てに対向する対向ローラを配置することができなくても、全てのチャンネルとカードとを接触させることが可能になり、その結果、全てのチャンネルにおいて適切な磁気データの読取や記録を行うことが可能になる。
【００１０】
本発明において、カードの幅方向の一方を第１方向とし、カードの幅方向の他方を第２方向とすると、カードの幅方向における対向ローラの一端は、カードの幅方向において、最も第１方向側に配置されるチャンネルよりも第１方向側に配置されていること、または、最も第２方向側に配置されるチャンネルよりも第２方向側に配置されていることが好ましい。この場合には、たとえば、磁気ヘッドは、チャンネルとして、第１チャンネルと、第２チャンネルと、第３チャンネルとを備え、第１チャンネル、第２チャンネルおよび第３チャンネルは、第１方向側から第２方向側に向かってこの順番に配置され、カードの通過方向から見たときに、磁気ヘッドの揺動中心は、左右方向において、第２チャンネルと略同じ位置に配置され、カードの幅方向における対向ローラの一端は、カードの幅方向において、第１チャンネルよりも第１方向側に配置されている。
【００１１】
このように構成すると、磁気ヘッドと対向ローラとの間をカードが通過するときに磁気ヘッドに作用するモーメントであって、磁気ヘッドの全てのチャンネルとカードとが接触するように磁気ヘッドの揺動中心を中心にして磁気ヘッドを傾ける方向へ作用するモーメントが大きくなる。したがって、全てのチャンネルとカードとの密着性を確保することが可能になり、その結果、全てのチャンネルにおいてより適切な磁気データの読取や記録を行うことが可能になる。
【００１２】
本発明において、カードリーダは、カード通過路でカードを搬送する搬送ローラと、カード通過路を通過するカードを搬送ローラとの間に挟むように搬送ローラに対向配置されるパッドローラとを備え、カードの幅方向の一方を第１方向とし、カードの幅方向の他方を第２方向とすると、磁気ヘッドおよび対向ローラは、カードの幅方向において、搬送ローラおよびパッドローラよりも第１方向側に配置され、カードの通過方向から見たときに、カードの幅方向における対向ローラの一端は、カードの幅方向において磁気ヘッドの揺動中心よりも第１方向側に配置されていることが好ましい。
【００１３】
このように構成すると、カードの幅方向における対向ローラの一端がカードの幅方向において磁気ヘッドの揺動中心よりも第２方向側に配置されている場合と比較して、カードの幅方向において、カードの一部が挟まれる搬送ローラおよびパッドローラと対向ローラの一端との距離を長くすることが可能になる。したがって、全てのチャンネルとカードとが接触する方向へ傾いている磁気ヘッドの全てのチャンネルとカードとの接触力が高まる方向へカードを変形させやすくなり、その結果、全てのチャンネルとカードとの密着性を確保することが可能になる。そのため、全てのチャンネルにおいてより適切な磁気データの読取や記録を行うことが可能になる。
【発明の効果】
【００１４】
以上のように、本発明では、複数のチャンネルを有する磁気ヘッドが搭載されるカードリーダにおいて、複数のチャンネルの全てに対向する対向ローラを配置することができなくても、全てのチャンネルにおいて適切な磁気データの読取や記録を行うことが可能になる。
【図面の簡単な説明】
【００１５】
【図１】本発明の実施の形態にかかるカードリーダの正面図である。
【図２】図１のＥ−Ｅ方向からカードリーダの概略構成を説明するための図である。
【図３】図２のＦ−Ｆ方向からカードリーダの構成を説明するための図である。
【図４】図１に示す対向ローラの正面図である。
【図５】図１に示す磁気ヘッドと対向ローラとの間をカードが通過するときの状態を示す図である。
【図６】図５のＧ部の状態を説明するための概念図である。
【図７】本発明の他の実施の形態にかかる対向ローラの配置を説明するための概念図である。
【発明を実施するための形態】
【００１６】
以下、図面を参照しながら、本発明の実施の形態を説明する。
【００１７】
（カードリーダの構成）
図１は、本発明の実施の形態にかかるカードリーダ１の正面図である。図２は、図１のＥ−Ｅ方向からカードリーダ１の概略構成を説明するための図である。図３は、図２のＦ−Ｆ方向からカードリーダ１の構成を説明するための図である。図４は、図１に示す対向ローラ７の正面図である。図５は、図１に示す磁気ヘッド５と対向ローラ７との間をカード２が通過するときの状態を示す図である。図６は、図５のＧ部の状態を説明するための概念図である。なお、図２、図３では、カードリーダ１の前端側部分のみを図示している。
【００１８】
本形態のカードリーダ１は、カード２に記録された磁気データの読取やカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。カードリーダ１の内部には、カード２が通過するカード通過路３が形成されている。カードリーダ１は、カード２に記録された磁気データの読取およびカード２への磁気データの記録の少なくともいずれか一方を行う磁気ヘッド５と、磁気ヘッド５を支持するヘッド支持機構６と、磁気ヘッド５に対向配置される対向ローラ７と、カード通過路３でカード２を搬送する搬送ローラ８と、搬送ローラ８に対向配置されるパッドローラ９とを備えている。なお、図２では、搬送ローラ８およびパッドローラ９の図示を省略している。
【００１９】
本形態では、図１等に示すＸ方向にカード２が通過する。すなわち、Ｘ方向は、カード通過路３を通過するカード２の通過方向であり、カード２は、搬送ローラ８およびパッドローラ９等によってＸ方向へ搬送される。また、Ｘ方向に直交する図１等のＺ方向は、カード通過路３を通過するカード２の厚さ方向であり、Ｘ方向とＺ方向とに直交する図１等のＹ方向は、カード通過路３を通過するカード２の幅方向である。以下の説明では、Ｘ方向を「前後方向」、Ｙ方向を「左右方向」、Ｚ方向を「上下方向」とする。また、Ｘ１方向側を「手前（前）」側、Ｘ２方向側を「奥（後ろ）」側、Ｙ１方向側を「右」側、Ｙ２方向側を「左」側、Ｚ１方向側を「上」側、Ｚ２方向側を「下」側とする。本形態では、右方向（Ｙ１方向）は、カード２の幅方向の一方である第１方向であり、左方向（Ｙ２方向）は、カード２の幅方向の他方である第２方向である。
【００２０】
カード２は、厚さが０．７〜０．８ｍｍ程度の略長方形状の塩化ビニール製のカードである。このカード２の裏面には、磁気データが記録される磁気ストライプが形成されている。磁気ストライプは、略長方形状に形成されるカード２の長手方向に沿って形成されている。磁気ストライプには、複数のトラックの磁気データが記録可能となっている。本形態のカード２は、国際規格やＪＩＳ規格に準拠したカードであり、カード２の裏面の磁気ストライプには、第１トラックの磁気データと第２トラックの磁気データと第３トラックの磁気データとの３つのトラックの磁気データが記録可能となっている。カード２は、その裏面が下側を向いた状態で、かつ、カード２の長手方向が前後方向と略一致した状態で、カードリーダ１に挿入されて、カードリーダ１内で搬送される。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２１】
搬送ローラ８は、カード通過路３に下側から臨むように配置されている。この搬送ローラ８は、ベルトやプーリ等の動力伝達機構を介してモータに連結されている。また、搬送ローラ８は、その外周側部分がゴムで形成されたゴムローラである。パッドローラ９は、カード通過路３に上側から臨むように配置されている。また、パッドローラ９は、カード通過路３を通過するカード２を搬送ローラ８との間に挟むように搬送ローラ８に対向配置されている。このパッドローラ９は、搬送ローラ８に向かって付勢されている。また、パッドローラ９は、ゴムで形成されたゴムローラである。搬送ローラ８およびパッドローラ９は、図１に示すように、左右方向において、カード通過路３の略中心に配置されている。
【００２２】
磁気ヘッド５は、カード２の磁気ストライプの、複数のトラックの磁気データのそれぞれの読取や記録を行う複数のチャンネルを備えている。具体的には、磁気ヘッド５は、図５に示すように、第１トラックの磁気データの読取や記録を行う第１チャンネル５ａと、第２トラックの磁気データの読取や記録を行う第２チャンネル５ｂと、第３トラックの磁気データの読取や記録を行う第３チャンネル５ｃとの３つのチャンネル５ａ〜５ｃを備えている。すなわち、磁気ヘッド５は、第１チャンネル５ａを構成するコアおよびこのコアに巻回されるコイルと、第２チャンネル５ｂを構成するコアおよびこのコアに巻回されるコイルと、第３チャンネル５ｃを構成するコアおよびこのコアに巻回されるコイルとを備えている。
【００２３】
第１チャンネル５ａと第２チャンネル５ｂと第３チャンネル５ｃとは、左右方向で並ぶように配置されている。具体的には、第１チャンネル５ａと第２チャンネル５ｂと第３チャンネル５ｃとは、右側から左側に向かってこの順番に配置されている。また、磁気ヘッド５は、カード通過路３に下側から臨むように配置されている。具体的には、磁気ヘッド５は、そのギャップ部分がカード通過路３に下側から臨むように配置されている。また、磁気ヘッド５は、左右方向において、カード２の磁気ストライプが通過する位置に配置されている。
【００２４】
ヘッド支持機構６は、磁気ヘッド５が固定される板バネ１２と、板バネ１２に形成される２個の貫通孔のそれぞれに挿通される２本の支持ピン１３、１４と、磁気ヘッド５および板バネ１２を下側から支持する支持部材１５とを備えている。板バネ１２には、磁気ヘッド５の上端側部分が上側へ突出するように磁気ヘッド５が固定されている。支持ピン１３、１４の上端側部分は、カードリーダ１のフレームに固定されている。また、支持ピン１３、１４は、その軸方向と上下方向とが一致するようにカードリーダ１のフレームに固定されている。また、支持ピン１３は、磁気ヘッド５の手前側に配置され、支持ピン１４は、磁気ヘッド５の奥側に配置されている。また、支持ピン１３と支持ピン１４は、左右方向において同じ位置に配置されている。
【００２５】
支持ピン１３と支持ピン１４とは同形状に形成されている。具体的には、支持ピン１３、１４は、細長い段付きの円柱状に形成されている。また、図２に示すように、支持ピン１３、１４は、大径部１３ａ、１４ａと、大径部１３ａ、１４ａよりも外径の小さい小径部１３ｂ、１４ｂと、大径部１３ａ、１４ａと小径部１３ｂ、１４ｂとの間に形成される傾斜部１３ｃ、１４ｃとを備えている。傾斜部１３ｃ、１４ｃの外周面は、大径部１３ａ、１４ａから小径部１３ｂ、１４ｂに向かうにしたがってその外径がしだいに小さくなる円錐台面となっている。また、大径部１３ａ、１４ａと傾斜部１３ｃ、１４ｃと小径部１３ｂ、１４ｂとは、上側からこの順番に配置されている。
【００２６】
支持ピン１３の小径部１３ｂは、板バネ１２の前端側に形成される丸孔状の貫通孔に挿通されている。この貫通孔の内径は、小径部１３ｂの外径とほぼ等しくなっている。支持ピン１４の小径部１４ｂは、板バネ１２の後端側に形成される貫通孔に挿通されている。この貫通孔は、前後方向を長手方向とする長孔状に形成されている。また、この貫通孔の左右方向の幅は、小径部１４ｂの外径とほぼ等しくなっている。
【００２７】
支持部材１５は、薄い金属板を所定形状に折り曲げることで形成されている。この支持部材１５は、カードリーダ１のフレームに固定される２個の固定部１５ａと、板バネ１２を上側へ付勢するバネ部１５ｂとを備えている。バネ部１５ｂは、左右方向において、２個の固定部１５ａの間に形成されている。また、バネ部１５ｂは、板バネ１２の前端側部分（磁気ヘッド５よりも前側の部分）に下側から当接しており、板バネ１２の前端側部分を上側へ付勢している。
【００２８】
磁気ヘッド５は、対向ローラ７に向かって付勢されるとともに、前後方向を揺動の軸方向として揺動可能となっている。具体的には、磁気ヘッド５は、板バネ１２および支持部材１５のバネ部１５ｂの付勢力によって対向ローラ７に向かって付勢されている。また、板バネ１２は、バネ部１５ｂの付勢力によって、板バネ１２の上面が傾斜部１３ｃ、１４ｃの外周面の下端部に接触するように付勢されており、板バネ１２に固定される磁気ヘッド５は、傾斜部１３ｃ、１４ｃの下端部を支点にして、前後方向を揺動の軸方向として揺動可能となっている。すなわち、前後方向から見たときに、傾斜部１３ｃ、１４ｃの下端部は、磁気ヘッド５の揺動中心Ｃとなっている。
【００２９】
対向ローラ７は、カード通過路３に上側から臨むように配置されている。また、対向ローラ７は、カード通過路３を通過するカード２を磁気ヘッド５との間に挟むように磁気ヘッド５に対向配置されている。この対向ローラ７は、カードリーダ１のフレームに固定される固定軸に回転可能に保持されている。あるいは、対向ローラ７は、カードリーダ１のフレームに回転可能に保持される回転軸に固定されている。対向ローラ７は、ＰＯＭ（ポリアセタール）等の樹脂で形成されている。
【００３０】
図４に示すように、対向ローラ７は、対向ローラ７の右端の外径Ｄ１が対向ローラ７の左端の外径Ｄ２よりも大きいテーパローラであり、前後方向から見たときの対向ローラ７の形状は、等脚台形状となっている。外径Ｄ１と外径Ｄ２との差は、たとえば、約０．３ｍｍである。磁気ヘッド５および対向ローラ７は、前後方向において、搬送ローラ８およびパッドローラ９とほぼ同じ位置に配置されている。また、磁気ヘッド５および対向ローラ７は、左右方向において、搬送ローラ８およびパッドローラ９よりも右側に配置されている。
【００３１】
図５に示すように、左右方向における対向ローラ７の幅は、左右方向における磁気ヘッド５の幅よりも狭くなっている。また、前後方向から見たときに、左右方向において、対向ローラ７の右端と磁気ヘッド５の揺動中心Ｃとがずれている。具体的には、前後方向から見たときに、対向ローラ７の右端は、左右方向において揺動中心Ｃよりも右側に配置されている。より具体的には、まず、前後方向から見たときに、磁気ヘッド５の揺動中心Ｃは、左右方向において磁気ヘッド５の第２チャンネル５ｂと略同じ位置に配置されている。すなわち、前後方向から見たときに、磁気ヘッド５の揺動中心Ｃは、第２チャンネル５ｂの下側に配置されている。また、前後方向から見たときに、対向ローラ７の右端は、左右方向において、第１チャンネル５ａよりも右側に配置されている。すなわち、対向ローラ７の右端は、３つのチャンネル５ａ〜５ｃのうちの最も右側に配置される第１チャンネル５ａよりも右側に配置されている。
【００３２】
そのため、図６の概念図に示すように、磁気ヘッド５と対向ローラ７との間をカード２が通過するときに、カード２には、対向ローラ７の右端によってカード２が磁気ヘッド５に向かって押される力が作用する。また、磁気ヘッド５には、カード２に作用する力によって、揺動中心Ｃを中心にして図６の時計回りの方向へ磁気ヘッド５が傾く力が作用する。すなわち、磁気ヘッド５には、カード２に作用する力によって、揺動中心Ｃを中心にして磁気ヘッド５の全てのチャンネル５ａ〜５ｃとカード２とが接触する方向へ磁気ヘッド５が傾く力が作用する。なお、本形態では、対向ローラ７は、第１チャンネル５ａおよび第２チャンネル５ｂと対向しているが、第３チャンネル５ｃとは対向していない。
【００３３】
（本形態の主な効果）
以上説明したように、本形態では、磁気ヘッド５と対向ローラ７との間をカード２が通過するときに、カード２には、対向ローラ７の右端によってカード２が磁気ヘッド５に向かって押される力が作用し、磁気ヘッド５には、カード２に作用する力によって、揺動中心Ｃを中心にして磁気ヘッド５の全てのチャンネル５ａ〜５ｃとカード２とが接触する方向へ磁気ヘッド５が傾く力が作用する。したがって、本形態では、第１チャンネル５ａおよび第２チャンネル５ｂとは対向するが第３チャンネル５ｃとは対向しない対向ローラ７が配置されても（すなわち、３つのチャンネル５ａ〜５ｃの全てに対向する対向ローラ７を配置することができなくても）、全てのチャンネル５ａ〜５ｃとカード２とを接触させることが可能になる。その結果、本形態では、全てのチャンネル５ａ〜５ｃにおいて適切な磁気データの読取や記録を行うことが可能になる。
【００３４】
本形態では、磁気ヘッド５の揺動中心Ｃは、第２チャンネル５ｂの下側に配置され、対向ローラ７の右端は、左右方向において、第１チャンネル５ａよりも右側に配置されている。そのため、本形態では、磁気ヘッド５と対向ローラ７との間をカード２が通過するときに磁気ヘッド５に作用するモーメントであって、磁気ヘッド５の全てのチャンネル５ａ〜５ｃとカード２とが接触するように揺動中心Ｃを中心にして磁気ヘッド５を傾ける方向へ作用するモーメントが大きくなる。したがって、本形態では、全てのチャンネル５ａ〜５ｃとカード２との密着性を確保することが可能になり、その結果、全てのチャンネル５ａ〜５ｃにおいてより適切な磁気データの読取や記録を行うことが可能になる。
【００３５】
本形態では、磁気ヘッド５および対向ローラ７は、左右方向において、搬送ローラ８およびパッドローラ９よりも右側に配置されている。また、本形態では、対向ローラ７の右端は、左右方向において磁気ヘッド７の揺動中心Ｃよりも右側に配置されている。そのため、本形態では、左右方向において対向ローラ７の右端が揺動中心Ｃよりも左側に配置されている場合と比較して、左右方向におけるカード２の中心部分が挟まれる搬送ローラ８およびパッドローラ９と、カード２を磁気ヘッド５に向かって押す対向ローラ７の右端との左右方向における距離が長くなる。したがって、本形態では、左右方向において対向ローラ７の右端が揺動中心Ｃよりも左側に配置されている場合と比較して、全てのチャンネル５ａ〜５ｃとカード２とが接触する方向へ傾いている磁気ヘッド５の全てのチャンネル５ａ〜５ｃとカード２との接触力が高まる方向へカード２を変形させやすくなる。そのため、本形態では、全てのチャンネル５ａ〜５ｃとカード２との密着性を確保することが可能になり、その結果、全てのチャンネル５ａ〜５ｃにおいてより適切な磁気データの読取や記録を行うことが可能になる。
【００３６】
（他の実施の形態）
上述した形態は、本発明の好適な形態の一例ではあるが、これに限定されるものではなく本発明の要旨を変更しない範囲において種々変形実施が可能である。
【００３７】
上述した形態では、前後方向から見たときに、対向ローラ７の右端は、左右方向において揺動中心Ｃよりも右側に配置されている。この他にもたとえば、図７（Ａ）に示すように、対向ローラ７の右端は、左右方向において揺動中心Ｃより左側に配置されても良い。この場合には、対向ローラ７は、第３チャンネル５ｃと対向しているが、第１チャンネル５ａおよび第２チャンネル５ｂとは対向していない。
【００３８】
この場合であっても、磁気ヘッド５と対向ローラ７との間をカード２が通過するときに、カード２には、対向ローラ７の右端によってカード２が磁気ヘッド５に向かって押される力が作用する。また、磁気ヘッド５には、カード２に作用する力によって、揺動中心Ｃを中心にして図７（Ａ）の反時計回りの方向へ磁気ヘッド５が傾く力が作用する。すなわち、磁気ヘッド５には、カード２に作用する力によって、揺動中心Ｃを中心にして磁気ヘッド５の全てのチャンネル５ａ〜５ｃとカード２とが接触する方向へ磁気ヘッド５が傾く力が作用する。したがって、この場合であっても、全てのチャンネル５ａ〜５ｃとカード２とを接触させることが可能になり、その結果、全てのチャンネル５ａ〜５ｃにおいて適切な磁気データの読取や記録を行うことが可能になる。
【００３９】
上述した形態では、対向ローラ７の右端の外径Ｄ１は対向ローラ７の左端の外径Ｄ２よりも大きくなっている。この他にもたとえば、図７（Ｂ）に示すように、対向ローラ７の左端の外径が対向ローラ７の右端の外径より大きくなっていても良い。この場合には、たとえば、前後方向から見たときに、対向ローラ７の左端は、左右方向において揺動中心Ｃよりも左側に配置される。また、この場合には、対向ローラ７は、第２チャンネル５ｂおよび第３チャンネル５ｃと対向しているが、第１チャンネル５ａとは対向していない。
【００４０】
図７（Ｂ）に示すように対向ローラ７が配置される場合には、磁気ヘッド５と対向ローラ７との間をカード２が通過するときに、カード２には、対向ローラ７の左端によってカード２が磁気ヘッド５に向かって押される力が作用する。また、磁気ヘッド５には、カード２に作用する力によって、揺動中心Ｃを中心にして図７（Ｂ）の反時計回りの方向へ磁気ヘッド５が傾く力が作用する。すなわち、磁気ヘッド５には、カード２に作用する力によって、揺動中心Ｃを中心にして磁気ヘッド５の全てのチャンネル５ａ〜５ｃとカード２とが接触する方向へ磁気ヘッド５が傾く力が作用する。したがって、この場合であっても、全てのチャンネル５ａ〜５ｃとカード２とを接触させることが可能になり、その結果、全てのチャンネル５ａ〜５ｃにおいて適切な磁気データの読取や記録を行うことが可能になる。
【００４１】
また、対向ローラ７の左端の外径が対向ローラ７の右端の外径よりも大きくなっている場合に、対向ローラ７の左端が、左右方向において揺動中心Ｃより右側に配置されても良い。この場合には、対向ローラ７は、第１チャンネル５ａと対向しているが、第２チャンネル５ｂおよび第３チャンネル５ｃとは対向していない。この場合であっても、磁気ヘッド５と対向ローラ７との間をカード２が通過するときに、カード２には、対向ローラ７の左端によってカード２が磁気ヘッド５に向かって押される力が作用する。また、磁気ヘッド５には、カード２に作用する力によって、揺動中心Ｃを中心にして磁気ヘッド５の全てのチャンネル５ａ〜５ｃとカード２とが接触する方向へ磁気ヘッド５が傾く力が作用する。したがって、この場合であっても、全てのチャンネル５ａ〜５ｃとカード２とを接触させることが可能になり、その結果、全てのチャンネル５ａ〜５ｃにおいて適切な磁気データの読取や記録を行うことが可能になる。
【００４２】
上述した形態では、前後方向から見たときに、磁気ヘッド５の揺動中心Ｃは、左右方向において磁気ヘッド５の第２チャンネル５ｂと略同じ位置に配置されている。この他にもたとえば、前後方向から見たときに、左右方向において揺動中心Ｃと第２チャンネル５ｂとがずれていても良い。また、上述した形態では、前後方向から見たときに、対向ローラ７の右端は、第１チャンネル５ａよりも右側に配置されているが、対向ローラ７の右端は、左右方向において、第１チャンネル５ａと第２チャンネル５ｂとの間に配置されても良いし、対向ローラ７の右端と第１チャンネル５ａとが左右方向において略一致していても良い。同様に、図７（Ｂ）に示す変形例では、前後方向から見たときに、対向ローラ７の左端は、左右方向において第３チャンネル５ｃよりも左側に配置されているが、対向ローラ７の左端は、左右方向において、第２チャンネル５ｂと第３チャンネル５ｃとの間に配置されても良いし、対向ローラ７の左端と第３チャンネル５ｃとが左右方向において略一致していても良い。
【００４３】
上述した形態では、磁気ヘッド５は、３つのチャンネル５ａ〜５ｃを備えている。この他にもたとえば、磁気ヘッド５は、２つのチャンネルを備える２チャンネルヘッドであっても良いし、４つ以上のチャンネルを備える多チャンネルヘッドであっても良い。また、上述した形態では、カードリーダ１は、搬送ローラ８およびパッドローラ９を備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダの中へカード２を差し込む際、あるいは、カードリーダからカード２を引き抜く際に磁気データの読取や記録を行ういわゆるディップ式のカードリーダであっても良い。
【符号の説明】
【００４４】
１  カードリーダ
２  カード
３  カード通過路
５  磁気ヘッド
５ａ  第１チャンネル（チャンネル）
５ｂ  第２チャンネル（チャンネル）
５ｃ  第３チャンネル（チャンネル）
７  対向ローラ
８  搬送ローラ
９  パッドローラ
Ｃ  磁気ヘッドの揺動中心
Ｄ１  対向ローラの一端の外径
Ｄ２  対向ローラの他端の外径
Ｘ  カードの通過方向
Ｙ  カードの幅方向
Ｙ１  第１方向
Ｙ２  第２方向
Ｚ  カードの厚さ方向
【図１】
0006456657.tif 000002
【図２】
0006456657.tif 000003
【図３】
0006456657.tif 000004
【図４】
0006456657.tif 000005
【図５】
0006456657.tif 000006
【図６】
0006456657.tif 000007
【図７】
0006456657.tif 000008